(57)【要約】【課題】防蟻性能を有する基礎部の配管構造を提供する。【解決手段】建物の基礎部を構成するコンクリート１０を貫通するさや管２と、さや管２に挿通される配管３１と、を備える基礎部の配管構造Ｃである。  そして、さや管２の外面には防蟻処理された外防蟻部材４０が設置されるとともに、さや管２の内面と配管３１の外面の間には防蟻処理された内防蟻部材５０が設置されている。【選択図】図１
2011026945.tif 000002
【特許請求の範囲】
【請求項１】
建物の基礎部を構成するコンクリートを貫通するさや管と、前記さや管に挿通される配管と、を備える基礎部の配管構造であって、
前記さや管の外面には防蟻処理された外防蟻部材が設置されるとともに、前記さや管の内面と前記配管の外面の間には防蟻処理された内防蟻部材が設置されることを特徴とする基礎部の配管構造。
【請求項２】
前記さや管の外面には、前記外防蟻部材として防蟻成分を含有する防蟻テープが貼設されることを特徴とする請求項１に記載の基礎部の配管構造。
【請求項３】
前記さや管の内面と前記配管の外面の間には、前記内防蟻部材として防蟻成分を含有する防蟻パッキンが嵌合されることを特徴とする請求項１又は請求項２に記載の基礎部の配管構造。
【請求項４】
前記さや管の内面と前記配管の外面の間には、前記内防蟻部材として防蟻成分を含有する防蟻シーリング材が充填されることを特徴とする請求項１又は請求項２に記載の基礎部の配管構造。
【請求項５】
前記防蟻テープは、基礎部を構成する前記コンクリートと反応して一体化する非加硫型粘着塑性体であることを特徴とする請求項２乃至請求項４のいずれか一項に記載の基礎部の配管構造。
【請求項６】
前記防蟻テープの少なくとも片面の離型紙は、ミシン目が設けられ、又は一定方向に裂けやすく形成されることを特徴とする請求項２乃至請求項５のいずれか一項に記載の基礎部の配管構造。
【請求項７】
前記外防蟻部材は、基礎部を構成する前記コンクリートの上に突出する部分を有するように配置されることを特徴とする請求項１乃至請求項６のいずれか一項に記載の基礎部の配管構造。
【請求項８】
前記配管の外面には、弾性テープが巻きつけられて前記さや管内に押し込まれて固定されるとともに、前記さや管の内面と前記配管の外面の間には、前記内防蟻部材として防蟻成分を含有する防蟻シーリング材が充填されることを特徴とする請求項１乃至請求項７のいずれか一項に記載の基礎部の配管構造。
【請求項９】
建物の基礎部を構成するコンクリートにさや管を貫通させて埋設し、前記さや管に配管を挿通させる基礎部の配管工法であって、
前記さや管の外面に防蟻処理された外防蟻部材を設置する外防蟻工程と、前記さや管を前記コンクリートの型枠内に設置するさや管設置工程と、前記コンクリートを前記型枠内に打設するコンクリート打設工程と、前記さや管に前記配管を挿通させる配管挿通工程と、前記さや管の内面と前記配管の外面の間に防蟻処理された内防蟻部材を設置する内防蟻工程と、を備えることを特徴とする基礎部の配管工法。
【発明の詳細な説明】
【技術分野】
【０００１】
本発明は、基礎部の配管構造及び基礎部の配管工法に関するものである。
【背景技術】
【０００２】
従来、戸建住宅では、トイレや流し台などの排水器具から屋外の宅地マスへ排水するために、建物の基礎部のコンクリートに排水管を直接に埋設することが行われていた。
【０００３】
一方、平成１２年６月施行の「住宅の品質確保促進法」の維持管理容易性能に関する評価方法基準には、「専用配管は、壁、床、柱又は梁の貫通部を除き、コンクリート内に埋め込まれていないこと」、「戸建住宅においては、地中埋設管が、建物の構造体、スラブ下またはコンクリートのべた基礎内に埋め込まれていないこと」が定められた。
【０００４】
このような課題を解決するために、例えば特許文献１では、さや管が水平部と立上がり部とを備えており、さや管とフレキシブル管との隙間がさや管の建物外側の端部で防水状態にされている建物の排水管配管構造が開示されている。
【０００５】
この構成によれば、上記評価方法基準を満足し、住宅を傷めることなく、排水管の点検や清掃、部分的な補修や排水管全体の交換等を行うことができる。
【先行技術文献】
【特許文献】
【０００６】
【特許文献１】特許第３５９５７６１号公報
【発明の概要】
【発明が解決しようとする課題】
【０００７】
しかしながら、前記した特許文献１の構造は、維持管理・更新の容易化などを実現する一方で、シロアリの侵入を防止する防蟻性能に格別に配慮したものではなかった。
【０００８】
そこで、本発明は、防蟻性能を有する基礎部の配管構造と、基礎部の配管工法と、を提供することを目的としている。
【課題を解決するための手段】
【０００９】
前記目的を達成するために、本発明の基礎部の配管構造は、建物の基礎部を構成するコンクリートを貫通するさや管と、前記さや管に挿通される配管と、を備える基礎部の配管構造であって、前記さや管の外面には防蟻処理された外防蟻部材が設置されるとともに、前記さや管の内面と前記配管の外面の間には防蟻処理された内防蟻部材が設置されることを特徴とする。
【００１０】
また、前記さや管の外面には、前記外防蟻部材として防蟻成分を含有する防蟻テープが貼設される構成とすることができる。
【００１１】
さらに、前記さや管の内面と前記配管の外面の間には、前記内防蟻部材として防蟻成分を含有する防蟻パッキンが嵌合される構成とすることができる。
【００１２】
そして、前記さや管の内面と前記配管の外面の間には、前記内防蟻部材として防蟻成分を含有する防蟻シーリング材が充填される構成とすることができる。
【００１３】
また、前記防蟻テープは、基礎部を構成する前記コンクリートと反応して一体化する非加硫型粘着塑性体であることが好ましい。
【００１４】
さらに、前記防蟻テープの少なくとも片面の離型紙は、ミシン目が設けられ、又は一定方向に裂けやすく形成されることが好ましい。
【００１５】
そして、前記外防蟻部材は、基礎部を構成する前記コンクリートの上に突出する部分を有するように配置されることが好ましい。
【００１６】
また、前記配管の外面には、弾性テープが巻きつけられて前記さや管内に押し込まれて固定されるとともに、前記さや管の内面と前記配管の外面の間には、前記内防蟻部材として防蟻成分を含有する防蟻シーリング材が充填される構成とすることができる。
【００１７】
そして、本発明の基礎部の配管工法は、建物の基礎部を構成するコンクリートにさや管を貫通させて埋設し、前記さや管に配管を挿通させる基礎部の配管工法であって、前記さや管の外面に防蟻処理された外防蟻部材を設置する外防蟻工程と、前記さや管を前記コンクリートの型枠内に設置するさや管設置工程と、前記コンクリートを前記型枠内に打設するコンクリート打設工程と、前記さや管に前記配管を挿通させる配管挿通工程と、前記さや管の内面と前記配管の外面の間に防蟻処理された内防蟻部材を設置する内防蟻工程と、を備えることを特徴とする。
【発明の効果】
【００１８】
このように、本発明の基礎部の配管構造は、さや管の外面には防蟻処理された外防蟻部材が設置されるとともに、さや管の内面と配管の外面の間には防蟻処理された内防蟻部材が設置される。
【００１９】
このため、さや管の外面とコンクリートの間は外防蟻部材によってシロアリの侵入が防止され、さや管の内面と配管の外面の間は内防蟻部材によってシロアリの侵入が防止される。したがって、基礎部の配管構造を通じた建物内へのシロアリの侵入を防止できる。
【００２０】
また、さや管の外面には、外防蟻部材として防蟻成分を含有する防蟻テープが貼設されることで、簡易な方法によってさや管の外面とコンクリートの間を塞いで高い防蟻性能を得ることができる。
【００２１】
さらに、さや管の内面と配管の外面の間には、内防蟻部材として防蟻成分を含有する防蟻パッキンが嵌合されることで、従来と略同様の簡易な方法によってさや管の内面と配管の外面の間を塞いで高い防蟻性能を得ることができる。
【００２２】
そして、さや管の内面と配管の外面の間には、内防蟻部材として防蟻成分を含有する防蟻シーリング材が充填されることで、さや管と配管の径が大きく異なる場合や複数の配管を挿通する場合でも、さや管の内面と配管の外面の間を塞いで高い防蟻性能を得ることができる。
【００２３】
また、防蟻テープは、基礎部を構成するコンクリートと反応して一体化する非加硫型粘着塑性体であることで、さや管の外面とコンクリートの間に隙間が生じることがなくなり、確実な防蟻性能を得ることができる。
【００２４】
さらに、防蟻テープの少なくとも片面の離型紙は、ミシン目が設けられ、又は一定方向に裂けやすく形成されることで、防蟻テープとホルダの位置が重なってもホルダの両側の離型紙を分割してはがせるようになる。
【００２５】
そして、外防蟻部材は、基礎部を構成するコンクリートの上に突出する部分を有するように配置されることで、コンクリートを打設した後でも外防蟻部材が設置されていることを確認できる。
【００２６】
また、配管の外面には、弾性テープが巻きつけられてさや管内に押し込まれて固定されるとともに、さや管の内面と配管の外面の間には、内防蟻部材として防蟻成分を含有する防蟻シーリング材が充填されることで、どのような径の配管であってもさや管内に固定した状態で防蟻シーリング材を充填できる。
【００２７】
そして、本発明の基礎部の配管工法は、さや管の外面に防蟻処理された外防蟻部材を設置する外防蟻工程と、さや管をコンクリートの型枠内に設置するさや管設置工程と、コンクリートを型枠内に打設するコンクリート打設工程と、さや管に配管を挿通させる配管挿通工程と、さや管の内面と配管の外面の間に防蟻処理された内防蟻部材を設置する内防蟻工程と、によって構成される。
【００２８】
このため、建物の基礎部のコンクリートにさや管を貫通させて埋設し、さや管に配管を挿通させる従来の基礎部の配管工法と略同様の工程によって、防蟻性能と維持管理容易性能の両方を兼ね備えた基礎部の配管構造を構築できる。
【図面の簡単な説明】
【００２９】
【図１】実施例１の基礎部の配管構造の構成を説明する断面図である。
【図２】配管システム全体の構成を説明するブロック図である。
【図３】実施例１の基礎部の配管構造の構成を分解して説明する分解斜視図である。
【図４】防蟻パッキンの構成を説明する断面図である。（ａ）は内面に段差を設けない場合、（ｂ）は内面に段差を設ける場合である。
【図５】実施例２の基礎部の配管構造の構成を説明する断面図である。
【図６】実施例３の基礎部の配管構造の構成を説明する断面図である。
【図７】さや管に防蟻テープを貼り付けた状態を示した側面図である。
【図８】防蟻テープの一部の離型紙を剥がした状態を示した側面図である。
【図９】実施例４の排水管の全体構成を説明する斜視図である。
【図１０】実施例４の排水管の接着受口の構成を説明する断面図である。（ａ）は四角形断面の場合であり、（ｂ）はテーパ状断面の場合である。
【発明を実施するための形態】
【００３０】
以下、本発明の実施の形態について図面を参照して説明する。
【実施例１】
【００３１】
まず、図２を用いて本発明の基礎部の配管構造Ｃを備える配管システムＳの全体構成を説明する。
【００３２】
本発明の配管システムＳは、排水系統として構成されており、図２に示すように、トイレ、洗面化粧台、浴室、洗濯機受パン、台所の流し台などの排水を生じる排水器具７１，・・・と、この排水器具７１と宅地マス７３とを接続する排水管３１と、排水管３１を介して排水器具と接続されて排水を受容する宅地マス７３と、宅地マス７３の下流側に接続される公共マス７４と、宅地マス７３どうしと公共マス７４を接続する排水管７５と、を備えている。
【００３３】
宅地マス７３は、排水管７２，７５の点検や清掃などを目的として設置されるもので、樹脂やコンクリートなどによって容器状に形成されて、地中に埋設される排水管７２，７５の起点、分岐点、合流点、屈曲点、落差点などに配置される。
【００３４】
公共マス７４は、点検や清掃の他、公共下水道と宅内の排水系統とを接続するために設置されるもので、樹脂やコンクリートなどによって容器状に形成されて、最下流の宅地マス７３の下流側に配置されている。
【００３５】
そして、本実施例の配管としての排水管７２は、図１，３に示すように、建物の基礎部を構成するコンクリート中に埋設されて貫通するさや管２に挿通されており、さや管２と排水管７２などによって基礎部の配管構造Ｃが形成されている。
【００３６】
この基礎部の配管構造Ｃは、上記したさや管２及び配管としての排水管７２と、さや管２の外面に設置される外防蟻部材としての防蟻テープ４０と、さや管２の内面と排水管７２の外面の間に設置される内防蟻部材としての防蟻パッキン５０と、を備えている。
【００３７】
このさや管２は、塩化ビニルなどの合成樹脂によって途中で緩やかなＬ字状に屈曲した筒状に形成されるもので、水平部２１とこの水平部２１から斜め４５度に立ち上がる立上がり部２２とを一体に備えて、基礎部を構成するコンクリート１０を貫通するように埋設されている。
【００３８】
なお、このさや管２は、ベタ基礎のスラブが厚い場合などには、水平部２１と水平部２１から略垂直に立ち上がる立上がり部（不図示）とを一体に備えて略直角のＬ字状に屈曲するものであってもよい。
【００３９】
さらに、配管としての排水管７２は、屈曲したさや管２に挿通される部分である内面平滑の可撓管（フレキシブル管）である排水管３１と、その他の部分である塩化ビニル樹脂の排水管３２，３３と、によって構成されている。
【００４０】
この可撓管である排水管３１は、ポリエチレン樹脂製で可撓性を有する長尺円筒状の基材部分と、外面に形成される補強用のリブ部分と、を備えており、所定の屈曲性能（可撓性能）と所定の強度性能を併せ持っている。加えて両端部には塩ビ管の接着受口が一体化されている。
【００４１】
このように、さや管２と排水管３１は分離されているため、排水管３１の交換などのメンテナンスの際には、さや管２を撤去することなく内部に挿入された排水管３１のみを抜き取って挿し替えることができる。
【００４２】
さらに、外防蟻部材としての防蟻テープ４０は、ブチルゴムを用いた薄い板状の非加硫型粘着塑性体であり、さや管２の床下側の端部近傍の外周に貼設されている。
【００４３】
この防蟻テープ４０は、生コンクリートの水和反応が進行するにしたがって生コンクリートと接着する性質を有している。つまり、ブチルゴムの活性基とセメント中の金属酸化イオンがイオン反応をおこして化学的に結合する。
【００４４】
加えて、この防蟻テープ４０はゴムを基材としているため、衝撃に対する緩衝性とコンクリートの温度変化などに起因する膨張収縮に対する追従性を備えている。
【００４５】
そして、本発明の防蟻テープ４０には、防蟻処理として微量（例えば０．４〜１．０ｗｔ％）の防蟻剤が添加されている。この防蟻剤としては、ホウ酸などの無機化合物系、有機塩素系、カーバメート系、有機リン系、合成ピレス系、ネオニコチノイド系など、シロアリが嫌う成分であればどのようなものでもよい。
【００４６】
また、内防蟻部材としての防蟻パッキン５０は、ＳＢＲなどの合成ゴムの弾性材料によって円環状に形成されるもので、さや管２の屋外側の端部に嵌め込まれている。
【００４７】
さらに、防蟻パッキン５０は、図４（ａ）に示すように、さや管２と排水管３１の間に隙間なく嵌合するように、外径がさや管２の内径よりもやや大きく形成されるとともに外面にテーパ面５０１が設けられ、内径が排水管３１の外径よりやや小さく形成されている。つまり、さや管２はブロー成形で加工されて、内径寸法のばらつきが大きいので、テーパ面５０１でばらつきを吸収するようになっている。
【００４８】
そして、防蟻パッキン５０には、防蟻処理としてホウ酸などのシロアリが嫌う成分である防蟻剤（０．４ｗｔ％）が添加されている。
【００４９】
なお、防蟻パッキン５０の断面形状としては、図４（ｂ）の防蟻パッキン５０Ａのように、さや管２内に挿入された排水管３１の端面と当接するように、内面５０２に段差部５０３を設けて内径の大きい内面５０４を形成すれば、さや管２の水平部の管中心と排水管３１の管中心が一致し、さや管２内への排水管３１の挿通がし易く、止水性も確実となる。
【００５０】
次に、本実施例の基礎部の配管工法について説明する。
【００５１】
まず、あらかじめ、さや管２の床下側の端部近傍の外面に、防蟻処理された外防蟻部材としての防蟻テープ４０を貼設する（外防蟻工程）。すなわち、防蟻テープ４０の剥離紙を剥がして、露出した粘着面をさや管２の全周に隙間なく密着させる。
【００５２】
つづいて、基礎部を構成するコンクリート１０の型枠内に、ホルダ２３を用いてさや管２を設置する（さや管設置工程）。すなわち、コンクリート１０内に配置された鉄筋１１にホルダ２３の鉄筋嵌合部２３１を嵌め込み、保持部２３２にさや管２を嵌め込んで位置を固定する。
【００５３】
次に、流動して硬化する前の状態のコンクリート１０をさや管２が配置された型枠内に打設する（コンクリート打設工程）。この際、防蟻テープ４０はコンクリート１０と化学的に反応して一体化する。
【００５４】
その後、時間の経過とともにコンクリート１０は硬化し、さや管２はコンクリート１０中に埋設された状態で完全に固定される。この硬化の際には、コンクリート１０は水和熱によって膨張し、徐々に放熱・冷却されて収縮することになる。
【００５５】
そして、さや管２に配管としての排水管３１を挿通させる（配管挿通工程）。すなわち、可撓性を有する排水管３１を、屈曲しているさや管２内に屈曲させつつ挿入して、床下側から屋外側へ連通させる。
【００５６】
最後に、配管挿通工程と略同時に、さや管２の内面と配管としての排水管３１の外面の間に、防蟻処理された内防蟻部材としての防蟻パッキン５０を設置する（内防蟻工程）。すなわち、排水管３１の屋外側の端部とさや管２の端部の間の円環状に形成された隙間に円環状の防蟻パッキン５０を弾性変形させつつ押し込む。そして、両側にその他の排水管３２，３３を接続して排水系統が完成する。
【００５７】
上記したように、外防蟻工程、さや管設置工程、コンクリート打設工程、配管挿通工程、内防蟻工程、を施工していくことで基礎部の配管工法が実行される。
【００５８】
次に、本実施例の基礎部の配管構造Ｃの作用効果について説明する。
【００５９】
（１）このように、本発明の基礎部の配管構造Ｃは、建物の基礎部を構成するコンクリート１０に埋設されて貫通するさや管２と、このさや管２に挿通される配管としての排水管３１と、を備えている。
【００６０】
このように、さや管２と排水管３１は分離されているため、排水管３１の交換などのメンテナンスの際には、さや管２を撤去することなく内部に挿入された排水管３１のみを抜き取って挿し替えることができる。
【００６１】
そして、本発明の基礎部の配管構造Ｃでは、さや管２の外面には防蟻処理された外防蟻部材が設置されるとともに、さや管２の内面と配管としての排水管３１の外面の間には防蟻処理された内防蟻部材が設置される。
【００６２】
このため、さや管２の外面とコンクリート１０の間は外防蟻部材によってシロアリの侵入が防止され、さや管２の内面と配管としての排水管３１の外面の間は内防蟻部材によってシロアリの侵入が防止される。したがって、基礎部の配管構造Ｃを通じた建物内へのシロアリの侵入を防止できる。
【００６３】
加えて、内防蟻部材が防蟻性だけでなく止水性を有しているので、この内防蟻部材によってシロアリの侵入を防止しつつ、雨水などの浸入をも防止することができる。
【００６４】
（２）また、さや管２の外面には、外防蟻部材として防蟻成分を含有する防蟻テープ４０が貼設されることで、簡易な方法によってさや管２の外面とコンクリート１０の間を塞いで高い防蟻性能を得ることができる。
【００６５】
加えて、この防蟻テープ４０が弾性変形可能に形成されていれば、コンクリート１０の膨張・収縮にも追従することができるため、膨張・収縮によって生じる可能性のあるコンクリート１０とさや管２との隙間が生じることもなくなり、いっそう防蟻性能を高めることができる。
【００６６】
（３）さらに、さや管２の内面と配管としての排水管３１の外面の間には、内防蟻部材として防蟻成分を含有する防蟻パッキン５０が嵌合されることで、従来と略同様の簡易な方法によってさや管２の内面と配管としての排水管３１の外面の間を塞いで高い防蟻性能を得ることができる。
【００６７】
つまり、従来からさや管２の内面と排水管３１の外面の間には、防水パッキンが設置されていたが、この防水パッキンに防蟻性能を付加することで、従来と略同様の構造・工程で止水性能及び防蟻性能を得ることができる。
【００６８】
（４）そして、本発明の基礎部の配管工法は、さや管２の外面に防蟻処理された外防蟻部材を設置する外防蟻工程と、さや管２をコンクリート１０の型枠内に設置するさや管設置工程と、コンクリート１０を型枠内に打設するコンクリート打設工程と、さや管２に配管としての排水管３１を挿通させる配管挿通工程と、さや管２の内面と配管としての排水管３１の外面の間に防蟻処理された内防蟻部材を設置する内防蟻工程と、によって構成される。
【００６９】
このため、建物の基礎部のコンクリート１０にさや管２を貫通させて埋設し、さや管２に排水管３１を挿通させる従来の基礎部の配管工法と略同様の工程によって、防蟻性能と維持管理容易性能の両方を兼ね備えた基礎部の配管構造を構築できる。
【００７０】
つまり、従来の基礎部の配管工法に加えて、外防蟻工程及び内防蟻工程を追加するだけで、維持管理容易性能に加えて防蟻性能を備えた基礎部の配管構造となる。
【００７１】
この場合、外防蟻工程はあらかじめ実施しておくことができるうえに、内防蟻工程は従来の止水工程（止水パッキンを）と略同様の工程であるから、実質的に施工現場における工期が遅延することはない。
【実施例２】
【００７２】
以下、図５を用いて、前記実施例とは別の基礎部の配管構造Ｃ１について説明する。なお、前記実施例で説明した内容と同一乃至均等な部分の説明については同一符号を付して説明する。
【００７３】
まず、構成について説明すると、本実施例の基礎部の配管構造Ｃ１は、さや管２及び配管としての給水管３４と、さや管２の外面に設置される外防蟻部材としての防蟻テープ４０と、さや管２の内面と給水管３４の外面の間に設置される内防蟻部材としての防蟻シーリング材６０と、さや管２の屋外側の端部において給水管３４との間を止水する止水パッキン５１と、を備えている。
【００７４】
この配管としての給水管３４は、架橋ポリエチレンなどの可撓性合成樹脂によって長尺円筒状に形成されるもので、一般に前記実施例１の排水管３１より小径になっている。そして、高温領域で安定して使用できる、耐食性に優れ衛生的である、継手なしで曲げ配管できる、などの特性を有している。
【００７５】
また、内防蟻部材としての防蟻シーリング材６０は、ウレタン系やシリコン系などの合成樹脂によって形成されるもので、さや管２の床下側に設置されたバックアップ材６１よりも床下側（屋内側）に充填されている。
【００７６】
そして、この防蟻シーリング材６０には、防蟻処理としてホウ酸などのシロアリが嫌う成分である防蟻剤が添加されている。
【００７７】
また、バックアップ材６１は、さや管２と給水管３４の隙間を塞いで防蟻シーリング材６０を充填するために設置するもので、合成ゴム、合成樹脂、軟質発泡ウレタンなどによって配管の挿通孔を有する円環状に形成される。
【００７８】
次に、本実施例の基礎部の配管工法について説明する。
【００７９】
本実施例の基礎部の配管工法は、前記実施例１と同様に、外防蟻工程、さや管設置工程、コンクリート打設工程、配管挿通工程、内防蟻工程、を施工していくことで実行される。
【００８０】
このうち内防蟻工程では、配管挿通工程と略同時に、さや管２の内面と配管としての給水管３４の外面の間に、防蟻処理された内防蟻部材としての防蟻シーリング材６０を設置する（内防蟻工程）。すなわち、さや管２内に配置された給水管３４にバックアップ材６１を嵌め込んで隙間を塞いだ後に、床下側から流動性のある防蟻シーリング材６０を充填する。
【００８１】
次に、本実施例の基礎部の配管構造Ｃ１の作用効果について説明する。
【００８２】
（１）本実施例の基礎部の配管構造Ｃ１では、さや管２の内面と配管としての給水管３４の外面の間には、内防蟻部材として防蟻成分を含有する防蟻シーリング材６０が充填されることで、さや管２と給水管３４の径が大きく異なる場合や、複数の給水管３４を挿通する場合でも、さや管２の内面と給水管３４の外面の間を塞いで高い防蟻性能を得ることができる。
【００８３】
つまり、さや管２と給水管３４の径が大きく異なる場合には、合成ゴム製の止水パッキン５１が変形してしまうため、止水パッキン５１のみによって給水管３４を所定位置に保持することは困難となり、全周に均一な防蟻性能を付与しにくくなる。
【００８４】
そこで、バックアップ材６１によって隙間を概略封鎖したうえで、防蟻シーリング材６０を充填することで、全周に略均一な防蟻性能を付与できるようになる。
【００８５】
この場合、一旦硬化した防蟻シーリング材６０は、広い面積で給水管３４と接して支持するため、この防蟻シーリング材６０自体が変形して防蟻性能を損なうことはない。
【００８６】
加えて、防蟻シーリング材６０とは別個に、さや管２の屋外側の端部近傍に止水パッキン５１が設置されているため、止水パッキン５１と防蟻シーリング材６０によって二重に止水及び防蟻できる。また、止水パッキン５１に防蟻剤を添加したものを用いてもよい。
【００８７】
なお、この他の構成および作用効果については、前記実施例と略同様であるため説明を省略する。
【実施例３】
【００８８】
以下、図６，７，８を用いて、前記実施例とは別の基礎部の配管構造Ｃ２について説明する。なお、前記実施例で説明した内容と同一乃至均等な部分の説明については同一符号を付して説明する。
【００８９】
まず、構成について説明すると、図６に示すように、本実施例の基礎部の配管構造Ｃ２は、さや管２と、配管としての給水管３４と、防蟻剤が添加された外防蟻部材としての防蟻テープ４０と、防蟻テープ４０の外側からさや管２を固定するためのホルダ２３と、防蟻剤が添加された内防蟻部材としての防蟻シーリング材６０と、給水管３４の外面に巻きつけられる弾性テープ６２と、を備えている。
【００９０】
この配管としての給水管３４は、架橋ポリエチレン樹脂によって長尺円筒状に形成されるＰＥ管３４ｂと、このＰＥ管３４ｂを保温するポリエチレンフォームなどの保温材３４ａと、によって二重構造に構成されている。
【００９１】
そして、この保温材３４ａは、さや管２の屋外側の端面近傍に相当する位置で部分的に切除されており、このＰＥ管３４ｂが露出した部分には後述する防蟻シーリング材６０が充填されている。
【００９２】
また、外防蟻部材としての防蟻テープ４０は、ブチルゴムを用いた薄い板状の非加硫型粘着塑性体であり、さや管２の床下側の端部近傍の外周に、コンクリート１０の上に１０ｍｍ〜２０ｍｍ突出する部分４０ｃを有するように貼設されている。
【００９３】
加えて、この防蟻テープ４０は、図７に示すように、片面又は両面の離型紙にミシン目４０ａ（一定間隔の断続的な切り目）が設けられ、又は一定方向に微細な傷痕群が設けられるなどして一定方向に裂けやすく形成されている。
【００９４】
なお、本実施例では、この防蟻テープ４０が貼設された位置と、固定のためのホルダ２３の位置とが重なっており、離型紙の上からホルダ２３が嵌め合わされている。
【００９５】
また、内防蟻部材としての防蟻シーリング材６０は、ウレタン系やシリコン系などの合成樹脂によって形成されるもので、さや管２の屋外側の端面近傍であって保温材３４ａが取外された部分に充填されている。
【００９６】
したがって、この防蟻シーリング材６０は、露出したＰＥ管３４ｂの周面と保温材３４ａが取外された端面とを覆うとともに、保温材３４ａとＰＥ管３４ｂとのごく薄い隙間を覆って閉塞している。
【００９７】
さらに、弾性テープ６２は、基材部分が弾性変形する材料によって形成されるもので、片面に粘着剤が塗布されて給水管３４の保温材３４ａの外面に巻きつけられている。
【００９８】
そして、給水管３４に巻きつけられた弾性テープ６２の外径は、さや管２の内径よりやや大きくされており、押圧されて弾性変形した状態でさや管２内に嵌め込まれている。
【００９９】
次に、本実施例の基礎部の配管工法について説明する。
【０１００】
本実施例の基礎部の配管工法は、前記実施例１，２と同様に、外防蟻工程、さや管設置工程、コンクリート打設工程、配管挿通工程、内防蟻工程、を施工していくことで実行される。
【０１０１】
このうち、コンクリート打設工程では、さや管２に貼設された防蟻テープ４０は、事前に表面の離型紙を剥がしておく必要がある。
【０１０２】
しかしながら、本実施例では、ホルダ２３の位置が防蟻テープ４０の位置と重なっており、離型紙の上からホルダ２３が嵌め合わされているため、離型紙の全体を一体として剥がすことはできない。
【０１０３】
そこで、本実施例では、図７に示すように、離型紙に円周方向にミシン目４０ａが設けられているため、ミシン目４０ａの位置で離型紙を分割することで部分的に剥がすことができる。
【０１０４】
すなわち、図８に示すように、まずホルダ２３の下側の離型紙を剥がしたうえで、残りの上側の離型紙を剥がすことで、ホルダ２３と重なった場合でも離型紙を剥がすことができる。
【０１０５】
加えて、配管挿通工程では、さや管２の屋外側の端面近傍において、給水管３４の保温材３４ａの上に弾性変形する弾性テープ６２が巻きつけられるとともに、保温材３４ａが部分的に取外される。そして、弾性テープ６２を巻かれた給水管３４は、屋外側の端部からさや管２内に押圧されつつ押し込まれる。
【０１０６】
最後に、内防蟻工程では、さや管２の内面とＰＥ管３４ｂの外面の間であって、保温材３４ａが取外された部分に、この取外された部分を覆うように屋外側から防蟻シーリング材６０が充填される。
【０１０７】
次に、本実施例の基礎部の配管構造Ｃ２の作用効果について説明する。
【０１０８】
（１）本実施例の基礎部の配管構造Ｃ２では、防蟻テープ４０の少なくとも片面の離型紙は、ミシン目４０ａが設けられ、又は一定方向に裂けやすく形成されることで、防蟻テープ４０とホルダ２３の位置が重なってもホルダ２３の両側の離型紙を分割してはがせるようになる。
【０１０９】
（２）そして、外防蟻部材としての防蟻テープ４０は、基礎部を構成するコンクリート１０の上に突出する部分４０ｃを有するように配置されることで、コンクリート１０を打設した後でも防蟻テープ４０が設置されていることを確認できる。
【０１１０】
つまり、防蟻処理は、作業工程により基礎工事者、水道工事者、防蟻施工者などの複数業者に分担されるため管理しにくいが、コンクリート１０打設後にも外部から視認できれば分担作業であっても確実に管理できる。
【０１１１】
（３）また、配管としての給水管３４の外面には、弾性テープ６２が巻きつけられてさや管２内に押し込まれて固定されるとともに、さや管２の内面と給水管３４の外面の間には、内防蟻部材として防蟻成分を含有する防蟻シーリング材６０が充填されることで、どのような径の給水管３４であってもさや管２内に固定した状態で防蟻シーリング材６０を充填できる。
【０１１２】
つまり、一般に給水・給湯の配管の防蟻処理は、管径や保温材の種類が多いため、定形のパッキンなどを品揃えするとコスト及び作業性の観点から効率が悪くなる。
【０１１３】
そこで、定形のパッキンではなく、配管に弾性テープ６２を巻きつけて、さや管２内に押し込んで固定すれば、弾性テープ６２の巻回数を調整することによってさや管２の径と配管の径とに応じて配管を固定できる。
【０１１４】
（４）さらに、ＰＥ管３４ｂが保温材３４ａによって被覆されている場合、保温材３４ａは、さや管２の屋外側の端面近傍で部分的に取外され、取外された部分に防蟻シーリング材６０が充填されることで、ＰＥ管３４ｂと保温材３４ａとの隙間からシロアリが侵入することを防止できる。
【０１１５】
つまり、さや管２の屋外側の端面近傍において、保温材３４ａを縁切りして防蟻シーリング材６０によって防蟻処理することで、保温材３４ａとＰＥ管３４ｂの隙間を通じて屋外からシロアリが侵入することを防止できる。
【実施例４】
【０１１６】
以下、図９，１０を用いて、前記実施例とは別の構造を有する排水管の接着受口３７について説明する。なお、前記実施例で説明した内容と同一乃至均等な部分の説明については同一符号を付して説明する。
【０１１７】
まず、構成について説明すると、本実施例の基礎部の配管構造Ｃは、図１と同様に、さや管２と、排水管７２と、防蟻テープ４０と、防蟻パッキン５０と、を備えている。
【０１１８】
また、配管としての排水管７２は、内面平滑な可撓管（フレキシブル管）である排水管３１と、その他の部分である塩化ビニル樹脂製の排水管３２，３３と、によって構成されている。
【０１１９】
さらに、内面平滑な可撓管である排水管３１は、図９に示すように、ポリエチレン樹脂製で可撓性を有する長尺円筒状の基材部分３５と、外面に形成される補強用のリブ部分３６，・・・と、を一体に備えるとともに、両端部に一体化された円筒状の接着受口３７，３７を備えている。
【０１２０】
そして、本実施例の接着受口３７の一端には、図９に示すように、外周面の周方向に沿って間欠的に所定高さに形成された四角形断面のリブ３７ａを４つ備えている。
【０１２１】
このリブ３７ａは、図１０（ａ）に示すように、四角形断面の短柱を外周面に沿って円弧状に曲げたような形状で接着受口３７と一体に形成されるもので、接着受口３７の外周面から所定の高さだけ突出している。
【０１２２】
また、リブ３７ａの突出高さは、さや管２の内径（直径）と排水管３１の外径（直径）の差の半分以下であればよく、排水管３１のさや管２への挿通性を良好にしつつ防蟻パッキン５０の装着性を向上させる適度の高さに設定する。例えば、さや管の内径が１００ｍｍの場合には、リブ３７ａの突出高さとしては２．５ｍｍ程度が好ましい。
【０１２３】
また、リブの断面形状としては、図１０（ｂ）に示すように、端面方向に徐々に高さが減少するテーパ状断面に形成されるものでもよい。このテーパ状断面を有するリブ３７ｂは、テーパ部で排水管３１のさや管２への挿通性を良好にしつつ、平坦部でさや管２と排水管３１の間に所定高さの隙間を保持するように形成されている。
【０１２４】
そして、これらのリブ３７ａ，３７ｂの屋外側（端面側）には、環状の防蟻パッキン５０が嵌合された状態で突き当てられており、さや管２の内周面と排水管３１の外周面の間に形成された環状の隙間を塞いでいる。
【０１２５】
次に、本実施例の排水管の接着受口３７の作用効果について説明する。
【０１２６】
（１）本実施例の配管としての排水管３１は、両端部に一体化された円筒状の接着受口３７，３７を備えており、このうち屋外側となる一方の接着受口３７には、外周面の周方向に沿って間欠的に所定の高さのリブ３７ａが形成されている。
【０１２７】
このようにリブ３７ａを形成することで、さや管２に対する排水管３１の挿通性が良好になるうえに、防蟻パッキン５０の装着が容易になる。
【０１２８】
つまり、内面平滑の可撓管である排水管３１の径が大きくなると、排水管３１自体のコシ（真っ直ぐになろうとする性質）が強くなるため、さや管２に押しつけられて挿入の際の摩擦抵抗が大きくなる。
【０１２９】
そのうえ、排水管３１をさや管２内に挿通した状態では、排水管３１は屈曲箇所の外側に強制的に位置することとなり、屋外側の端部ではさや管２内部の下側に位置することとなる。
【０１３０】
このため、排水管３１を手で中央寄りに持ち上げつつ、防蟻パッキン５０を嵌め合わすこととなって、防蟻パッキン５０の装着に時間がかかってしまう。
【０１３１】
そこで、接着受口３７に間欠的にリブ３７ａを設けることで、さや管２に対する接触面積を抑えて摩擦を減少させつつ、屋外側の端部で接着受口３７を浮かせてさや管２の中央に寄せて防蟻パッキン５０の装着を容易にしている。
【０１３２】
（２）また、リブ形状としては、四角形断面の他に、端面に向かって高さが低くなるようなテーパ状断面とすることで、排水管３１をさや管２内に挿通する際にも障害物が引っ掛かることがなくなるため、リブ３７ｂを設けた場合の挿通性を向上させることができる。
【０１３３】
以上、図面を参照して、本発明の実施例を詳述してきたが、具体的な構成は、この実施例に限らず、本発明の要旨を逸脱しない程度の設計的変更は、本発明に含まれる。
【０１３４】
例えば、前記実施例１では、防蟻パッキン５０が屋外側の端部に配置される場合について説明したが、これに限定されるものではなく、床下側の端部に配置されるものであってもよいし、さや管２の水平部２１や立上がり部２２などの途中の部分に配置されるものであってもよい。
【０１３５】
また、前記実施例２では、防蟻シーリング材６０が床下側の端部に充填される場合について説明したが、これに限定されるものではなく、屋外側の端部に充填されるものであってもよいし、途中の部分に充填されるものであってもよい。
【０１３６】
さらに、前記実施例２では、防蟻シーリング材６０とは別に止水パッキン５１を設置する場合について説明したが、これに限定されるものではなく、防蟻シーリング材６０に止水性能を持たせる場合には止水パッキン５１を配置しなくてもよい。
【０１３７】
そして、前記実施例１では、配管としての排水管３１が可撓性を有する場合について説明したが、これに限定されるものではなく、さや管２と排水管３１の両方を一定の曲率で屈曲する円弧状に形成すれば、配管として可撓性のない塩化ビニル樹脂のものなどを用いることもできる。
【０１３８】
また、前記実施例１では防蟻パッキン５０を屋外側の端部に１箇所設置する場合について説明したが、これに限定されるものではなく、複数箇所に防蟻パッキン５０を設置してもよい。
【符号の説明】
【０１３９】
Ｃ，Ｃ１，Ｃ２  基礎部の配管構造
１０        コンクリート
２          さや管
３１        排水管（配管）
３４        給水管（配管）
３４ａ      保温材
３４ｂ      ＰＥ管
３７        接着受口
３７ａ，３７ｂ  リブ
４０        防蟻テープ（外防蟻部材）
４０ａ      ミシン目
５０        防蟻パッキン（内防蟻部材）
６０        防蟻シーリング材（内防蟻部材）
６２        弾性テープ
【図１】
2011026945.tif 000003
【図２】
2011026945.tif 000004
【図３】
2011026945.tif 000005
【図４】
2011026945.tif 000006
【図５】
2011026945.tif 000007
【図６】
2011026945.tif 000008
【図７】
2011026945.tif 000009
【図８】
2011026945.tif 000010
【図９】
2011026945.tif 000011
【図１０】
2011026945.tif 000012